(57)【特許請求の範囲】
【請求項１】
熱交換器と、この熱交換器で生成されたドレン水を受けるドレンパンと、このドレンパンに溜まったドレン水を汲み上げて外部に排水するドレンポンプとを備えた空気調和装置において、前記ドレンパンには、前記ドレンポンプの吸込口の周囲を囲う壁部と前記ドレンパンの底面との間に間隔を空けて支持される底面覆い部とからなり、少なくとも前記壁部がメッシュ状の敷設部材を配置し、この敷設部材で前記ドレンパン上のスライムが浮き上がりにくくしたことを特徴とする空気調和装置。
【請求項２】
前記底面覆い部は、前記ドレンポンプの吸込口に対応する領域が開口し、この開口端から前記壁部が下方に延出することを特徴とする請求項１に記載の空気調和装置。
【請求項３】
前記壁部及び底面覆い部は、前記ドレンポンプの吸込口より小さい網目を有するメッシュ形状に形成されていることを特徴とする請求項２に記載の空気調和装置。
【請求項４】
前記ドレンパンと前記敷設部材とによって囲まれる空間内に抗菌剤を配置したことを特徴とする請求項１乃至３のいずれか一項に記載の空気調和装置。
【発明の詳細な説明】
【技術分野】
【０００１】
本発明は、ドレンパンに貯留されたドレン水をドレンポンプで外部に排出する空気調和装置に関する。
【背景技術】
【０００２】
空気調和装置には、ドレンパンに貯留されたドレン水をドレンポンプで外部に排出するものがある（例えば、特許文献１参照）。この種の空気調和装置では、ドレンパンに貯留されたドレン水に半固形状のヌメリ（以下、スライムという）が発生することがあり、このスライムがドレンポンプや排水ホースを詰まらせるおそれがあった。これを解消するため、従来では、ドレンパンにスライム発生防止剤を配置したものが提案されている（例えば、特許文献２参照）。
【特許文献１】特許第３４２３０４５号公報
【特許文献２】特開平６−１５９７１０号公報
【発明の開示】
【発明が解決しようとする課題】
【０００３】
しかし、従来の構成では、ドレン水に薬剤を混合させて化学的にスライムの発生を抑えるようにしているため、染み込ませた薬剤がなくなれば効果はなくなり、その効果がなくなると、結局、スライムがドレンポンプ等を詰まらせてしまうおそれが生じてしまう。
そこで、本発明の目的は、上述した従来の技術が有する課題を解消し、スライムの詰まりを恒久的に防止することができる空気調和装置を提供することにある。
【課題を解決するための手段】
【０００４】
上記課題を解決するため、本発明は、熱交換器と、この熱交換器で生成されたドレン水を受けるドレンパンと、このドレンパンに溜まったドレン水を汲み上げて外部に排水するドレンポンプとを備えた空気調和装置において、前記ドレンパンに、前記ドレンポンプの吸込口の周囲を囲う壁部を備えた敷設部材を配置し、この壁部をメッシュ形状に形成したことを特徴とする。この発明によれば、ドレンパンに発生したスライムがドレンポンプの吸込口に流れ出る場合に、敷設部材のメッシュ形状の壁部によってスライムが細断され、スライムの詰まりが恒久的に防止される。
【０００５】
上記構成において、前記敷設部材は、前記ドレンパンの底面との間に間隔を空けて支持される底面覆い部を有し、この底面覆い部は、前記ドレンポンプの吸込口に対応する領域が開口し、この開口端から前記壁部が下方に延出するようにしてもよい。この構成によれば、ドレンパンの底面との間に間隔を空けて支持される底面覆い部によって、スライムの浮きを抑えてスライムを敷設部材から外に出にくくすることができる。
【０００６】
また、上記構成において、前記壁部及び底面覆い部は、前記ドレンポンプの吸込口より小さい網目を有するメッシュ形状に形成してもよい。この構成によれば、壁部及び底面覆い部をスライムが通過する際に、ドレンポンプの吸込口よりも小さく細断でき、スライムの詰まりがより確実に防止される。
【０００７】
また、上記構成において、前記ドレンパンと前記敷設部材とによって囲まれる空間内に抗菌剤を配置してもよい。この構成によれば、抗菌剤をドレンポンプの吸込口近傍に配置でき、残留ドレン水からのスライムの発生を確実に抑えることができると共に、抗菌剤がドレンポンプの吸込口へ移動する事態を防止することができる。
【０００８】
更に、ドレンポンプの吸込口をメッシュ形状の網目部材で覆い、ドレンポンプの運転によって、ドレンパンに生成されたスライムがこのポンプに吸い込まれる際には、このメッシュ形状の網目部材でこのスライムが細分化されてからこのドレンポンプに流れ込むようにしても良い。
【発明の効果】
【０００９】
本発明によれば、ドレンパンに、ドレンポンプの吸込口の周囲を囲う壁部を備えた敷設部材を配置し、この壁部をメッシュ形状に形成した、もしくは、ドレンポンプの吸込口をメッシュ形状の網目部材で覆うようにしたので、敷設部材の壁部もしくは網目部材によってスライムが細断され、スライムの詰まりを恒久的に防止することができる。
【発明を実施するための最良の形態】
【００１０】
以下、図面を参照して本発明の実施形態を詳述する。
図１は本実施形態に係る空気調和装置を示す図である。この空気調和装置１００は、２つの空気吹出口を備えた、いわゆる２方向カセットと呼称される天井埋込型空気調和装置であり、箱形の室内機本体１と、室内機本体１に配管接続された室外機（図示せず）とを備えている。
室内機本体１には、送風機３、熱交換器５、発泡スチロール製のドレンパン７、及び、後述するドレンポンプ等の各種機器類が収納され、被調和室の天井に複数本の吊りボルト（図示せず）を介して吊り下げられ、この室内機本体１の下側を向いた開口面には、化粧パネル９が重ね合わせて取り付けられている。
【００１１】
図２は室内機本体１の分解斜視図である。室内機本体１は、板金製の外箱（筐体）１１を有している。この外箱１１は、略コ字形に曲げられた外箱本体１１Ａと、この外箱本体１１Ａの両端に取り付けられた一対の端板１１Ｂとを備えて構成されている。この外箱１１の内側には断熱材１３が配置されている。この断熱材１３は、各端板１１Ｂに対応して配置された一対の発泡スチロール製の端部材（内部発泡スチロール）１３Ａと、これら端部材１３Ａ間をつなぐポリエチレン製のつなぎ部材１３Ｂとで構成されている。
【００１２】
この断熱材１３で囲まれた空間内には、略Ｕ字形に形成された熱交換器５が配置され、この熱交換器５の下方（図２の上方向）には、熱交換器５で生成されたドレン水を受ける発泡スチロール製のドレンパン７が配置される。このドレンパン７は、外箱１１の下面の開口に嵌合され、このドレンパン７の中央には、大きな吸込開口７Ａが形成され、この開口７Ａの両側には、一対の細長い吹出開口７Ｂが形成される。
１７は板金製の補強金具であり、この補強金具１７は、ドレンパン７の吸込開口７Ａの側縁部に宛われ、補強金具１７の両端がねじ（図示せず）を介して外箱１１の端板１１Ｂの上縁部１１Ｃに固定されている。この板金製の外箱１１は変形し、撓みやすい。そこで、外箱１１の略中央部に、外箱１１の外壁とドレンパン７の補強金具１７間に掛け渡された、センター金具２１が設けられ、このセンター金具２１によって、外箱１１の天板１１Ｄの反り及び外箱１１の中央部の開きが防止される。
【００１３】
図３は室内機本体１を送風機３と共に示す分解斜視図である。図３に示すように、略Ｕ字形状の熱交換器５の間の空間には、ドレンパン７の吸込開口７Ａを介して送風機３が組み込まれる。この送風機３は、箱形に形成された板金製の仕切り板４１に固定され、この仕切り板４１は、複数本のビスを介して、室内機本体１の補強金具１７に固定される。具体的には、この送風機３は中央部にモータ３１を配置し、このモータ３１の両側の出力軸に羽根車３２を備えて構成されている。この羽根車３２はファンケース３３によって囲われ、このファンケース３３は、上ケース３３Ａと下ケース３３Ｂとに上下２分割されている。
【００１４】
上ケース３３Ａの両側には、フランジ３６が一体的に形成され、この上ケース３３Ａは、その一部３３Ｃを仕切り板４１の外に突出させて、該仕切り板４１の開口に装着され、このフランジ３６は、該フランジ３６にビスを通して仕切り板４１に固定される。この仕切り板４１は、図１に示すように、上述した外箱１１の内部を上下に仕切っており、仕切り板４１の下方には一次空間４１Ａが形成され、仕切り板４１の上方には二次空間４１Ｂが形成される。上ケース３３Ａは、フランジ３６を介して仕切り板４１に固定されるため、仕切り板４１の強度が増大し、しかも一次空間４１Ａと二次空間４１Ｂとの間のシール性を向上させることができる。
【００１５】
上記送風機３は、空気吸込口を仕切り板４１の下の一次空間４１Ａに臨ませ、空気吹出口を仕切り板４１の上の二次空間４１Ｂに臨ませ、上ケース３３Ａのフランジ３６よりも上に位置するファンケース３３の一部３３Ｃを仕切り板４１の上の二次空間４１Ｂに臨ませている。このため、送風機３の運転によって、室内空気がドレンパン７の吸込開口７Ａ（図２参照）を通じて一次空間４１Ａに吸い込まれた後に二次空間４１Ｂに吹き出される。この二次空間４１Ｂには、外箱１１の内側に配置された熱交換器５が位置するため、室内空気が熱交換器５によって熱交換され、この熱交換された調和空気が、ドレンパン７の吸込開口７Ａの両側に形成された一対の細長い吹出開口７Ｂを通じて室内に吹き出され、室内空調が行われる。
【００１６】
この空調運転時には、熱交換器５でドレン水が生成され、このドレン水はドレンパン７の上面側（図２の下方向）であって、熱交換器５に沿って形成された凹状の溝部（ドレン溜まりの一部を構成）７Ｇ（図１参照）に流れ落ちる。本構成のドレンパン７は、吸込開口７Ａの一端側にドレン溜まりの最も低い底部（以下、ドレン回収部７Ｈ（図４参照））を形成したドレン受け部７Ｃ（図２参照）が設けられており、全ドレン水がドレン受け部７Ｃに回収されるようになっている。
このドレン受け部７Ｃの上側（図２の下方向）には、ドレン受け部７Ｃに回収されたドレン水を汲み上げて外部に排水するドレンポンプ７１（図４参照）が配設されている。
【００１７】
図４はドレンポンプ７１を周辺構成と共に示す断面図である。
ドレンポンプ７１は、このドレンポンプ７１の吸込口７１Ａが、ドレン受け部７Ｃのドレン回収部７Ｈに臨むように、取付ステー７２を介して室内機本体１の外箱１１に固定される。このため、ドレンポンプ７１が駆動された場合に、ドレン回収部７Ｈのドレン水がドレンポンプ７１に吸い込まれ、このドレンポンプ７１の吐出口７１Ｂ（図２参照）に連結された排水ホース（不図示）を介して外部に排出される。
なお、このドレンポンプ７１と取付ステー７２との間には複数の防振ゴム７３が介挿され、これら防振ゴム７３は、ドレンポンプ７１駆動時の振動が外箱１１に伝達するのを遮断する。
また、このドレン回収部７Ｈには、ドレン抜き用の貫通孔７４が設けられており、この貫通孔７４は通常は栓７５で封止され、この栓７５は清掃等のメンテナンス時に取り外される。なお、図４中、符号７６はフロートスイッチであり、このフロートスイッチ７６は、ドレンポンプ７１の故障や排水ホースの詰まり等によって生じるドレン水の水位上昇を検出するものである。
【００１８】
このドレン回収部７Ｈには、メッシュ状の敷設部材８０が敷設されている。図５は敷設部材８０の上面図であり、図６は敷設部材８０を周辺構成と共に示す斜視図である。
この敷設部材８０は、耐腐食性を有する金属線（例えば、ステンレス線）等の線材を網目状に組んだメッシュ部材で形成され、ドレンポンプ７１の吸込力程度では移動しない重量を有している。この敷設部材８０は、ドレン回収部７Ｈの底面全体を略覆う平板状の底面覆い部８１と、この底面覆い部８１より外周側に予め設けられた余剰部分（略４隅の部分）を下方に折り曲げて形成した複数の支持部８２とを備えている。このため、この敷設部材８０は、支持部８２をドレン回収部７Ｈの底面に載置することによって、底面覆い部８１がドレン回収部７Ｈの底面から浮いた状態で支持（つまり、フローティング支持）されるようになっている。
【００１９】
また、この底面覆い部８１には、ドレン抜きの貫通孔７４に対応する領域、つまり、ドレンポンプ７１の吸込口７１Ａに対応する領域に略矩形形状の開口部８５が形成されている。この開口部８５の４辺の縁部からは、底面覆い部８１に予め設けられた内側余剰部分が下方に折り曲げられて上下方向に延びる壁部８３が形成され、これら複数（本例では４枚）の壁部８３によって、ドレンポンプ７１の吸込口７１Ａの周囲を囲うようにドレン回収部７Ｈの底面から立ち上がる囲い壁が形成される。
すなわち、この敷設部材８０は、メッシュ状平板部材（例えば、一枚の金網）を所定形状（底面覆い部８１、支持部８２及び壁部８３を平面形状に展開した形状）に切断し、外周部分を下方に折り曲げて支持部８２が形成され、内側部分を部分的に切断して下方に折り曲げることによって壁部８３が形成され、この敷設部材８０を容易に作成することが可能である。なお、この敷設部材８０を一部品で形成する場合に限らず、多数の部材を接合して形成してもよい。
【００２０】
メッシュの開口部に形成された壁部８３は、暖房運転時に入りドレン受け部７Ｃに残存したスライムが乾燥して薄膜状に張り付き、次の冷房運転時に発生したドレン水により、このドレン受け部７Ｃ付近に張り付いていた薄膜スライムが浮き上がり、ドレンポンプ７１の吸込口７１Ａを塞いでドレンポンプ７１が吸込不能になるのを防止する働きを持つ。即ち、この壁部８３によって薄膜スライムの浮き上がりを抑制し、この薄膜スライムによるドレンポンプ７１の吸込不能を防止する。
この敷設部材８０は、この部材８０の網目によってドレン水が敷設部材８０の内外を容易に流通可能に構成され、この網目はドレンポンプ７１の吸込口７１Ａより小さい網目に形成されている。
また、敷設部材８０の底面覆い部８１とドレン回収部７Ｈとの間の空間内には、図４及び図５に示すように、化学的にスライムの発生を抑制する抗菌剤９０が配置される。この抗菌剤９０は、例えば、粒状の銀イオン抗菌剤をメッシュ状の袋内に封入したものが適用される。このため、この抗菌剤９０によりドレンパン７に貯留されたドレン水にスライムが発生するのを抑えることができる。
【００２１】
また、この抗菌剤９０が、敷設部材８０とドレン回収部７Ｈとの間の空間に配置されるため、抗菌剤９０をドレン回収部７Ｈの中でも最も底が低い箇所であるドレンポンプ吸込口７１Ａ近傍に配置することができると共に、この抗菌剤９０を固定しなくても、敷設部材８０の壁部８３により抗菌剤９０がドレンポンプ７１の吸込口７１Ａへ移動してドレンポンプ７１を詰まらせてしまう事態を回避できる。さらに、敷設部材８０の底面覆い部８１によって抗菌剤９０の浮きが抑えられるので、抗菌剤９０を十分にドレン水に浸して機能させることができる。また、敷設部材８０がドレンパン７に載置されるだけなので、この敷設部材８０の着脱が容易で、抗菌剤９０の交換作業も容易に行うことができる。
【００２２】
次に敷設部材８０の高さや機能を説明する。
図７は敷設部材８０を周辺構成と共に模式的に示した図である。なお、この図においては、説明を分かり易くするため、抗菌剤９０の図示を省略すると共に、抗菌剤９０の効果がなくなりドレン水にスライムＳが発生した状態を示している。
この空気調和装置１００においては、空調運転中はドレンポンプ７１が駆動され、空調運転が停止するとドレンポンプ７１の駆動も停止される。このため、空調運転時に熱交換器５でドレン水が生成された場合（冷房運転中の場合）、ドレンポンプ７１の故障や排水ホースの詰まりがない通常状態では、ドレン水の水位がドレンポンプ７１の吸込口７１Ａの高さＨ１（図７参照）までとなる。
一方、この状況で空調運転が停止されると、ドレンポンプ７１及び排水ホース内のドレン水が重力でドレンパン７（ドレン回収部７Ｈ）に逆流するので、この戻り水の容積分だけドレン水の水位が上昇し、図７に示す高さＨ２まで上昇することになる。
【００２３】
本構成では、図７に示すように、敷設部材８０の高さ（つまり、底面覆い部８１の高さ）ｈが、空調運転中のドレン水の水位Ｈ１より高く、空調運転停止時のドレン水の水位Ｈ２より低い位置に設定される。このため、敷設部材８０の自重により抗菌剤９０の浮きを抑えることができるだけでなく、ドレン水に発生したスライムＳの敷設部材８０上方への浮きも抑えることができる。このスライムＳの浮きを敷設部材８０の底面覆い部８１で抑えることによって、敷設部材８０の外部にスライムＳを出にくくすることができる。
なお、敷設部材８０の高さｈを水位Ｈ１より高くしたのは、抗菌剤９０の配置スペースを十分に確保するためである。
【００２４】
しかも、この敷設部材８０がメッシュ状に形成されるので、ドレンポンプ７１の吸込力によって敷設部材８０内に存在するスライムＳが敷設部材８０の外部に流れ出た場合には、この敷設部材８０によってスライムＳが細断され、細断されたスライム（図中、符号ＳＡ）がドレンポンプ７１に吸い込まれる。この場合、スライムＳを含むドレン水はドレンポンプ７１の吸込口７１Ａに向かって流れるので、スライムＳの殆どは敷設部材８０の壁部８３で細断される。このように細断されたスライムＳＡがドレンポンプ７１に吸い込まれるので、このスライムＳＡは、ドレンポンプ７１及び排水ホース内を円滑に流れ、スライムの詰まりを恒久的に防止することが可能になる。
【００２５】
以上説明したように、本実施形態によれば、ドレンポンプ７１の吸込口７１Ａの周囲を囲う壁部８３を備えたメッシュ状の敷設部材８０を配置したので、敷設部材８０内のスライムＳが敷設部材８０の外に流れ出る場合にスライムＳを細断する。このため、大きく成長したスライムＳがドレンポンプ７１や排水ホースに詰まる事態を確実に防止することができる。
また、この敷設部材８０がドレンパン７の底面にフローティング支持された底面覆い部８１を有するので、この底面覆い部８１によってスライムＳの浮きを抑えてスライムＳを外に出にくくすることができる。しかも、この底面覆い部８１についてもメッシュ状に形成されるので、このスライムＳが底面覆い部８１を通過する場合には、スライムＳが細断され、これによっても、スライムの詰まりを防止することができる。また、この敷設部材８０の網目がドレンポンプ７１の吸込口７１Ａより小さいので、スライムの詰まりが確実に防止される。
【００２６】
また、本構成では、ドレンパン７と敷設部材８０とによって囲まれる空間内に抗菌剤９０を配置するので、この抗菌剤９０をドレン回収部７Ｈの中でも最も底が低い箇所であるドレンポンプ吸込口７１Ａ近傍に配置でき、つまり、ドレン水が最後に残留する箇所近傍に配置できる。このため、残留ドレン水からのスライムの発生を確実に抑えることができる。しかも、抗菌剤９０がドレンポンプ７１の吸込力によって移動されたとしても、その移動を敷設部材８０の壁部８３で規制し、吸込口７１Ａに移動する事態を防止できる。
従って、本構成では、抗菌剤９０によってスライムの発生を抑えると共に、この抗菌剤の効果がなくなってスライムが発生した場合でも、スライムを細断してスライムの詰まりを恒久的に抑えることができる。
【００２７】
以上、一実施形態に基づいて、本発明を説明したが、本発明はこれに限定されるものではない。例えば、上述の実施形態では、敷設部材８０全体をメッシュ形状にする場合について説明したが、これに限らない。例えば、ドレンポンプ７１に吸い込まれるスライムＳは、主に敷設部材８０の壁部８３を通過すると考えられるため、この壁部８３だけをスライムを細断可能なメッシュ形状にしてもよい。この場合、他の部分については、ドレン水を通過し易くするため、網目の大きなメッシュ形状にしてもよいし、ドレン水を十分に通過可能な範囲で、部分的に開口部を形成したものでもよい。
また、本発明のメッシュ形状には、略四角形状の開口に限らず、菱形形状等の他の矩形形状や多角形形状、或いは、丸形状等の任意の開口形状を広く適用できることは勿論である。
【００２８】
また、上述の実施形態では、敷設部材８０の高さｈを空調運転中のドレン水の水位Ｈ１より高く、空調運転停止時の戻りドレン水の水位Ｈ２より低い位置にする場合について説明したが、これに限らない。例えば、より大型の抗菌剤９０を配置する場合には、敷設部材８０の高さｈを戻りドレン水の水位Ｈ２よりも高くすることによって、その抗菌剤９０のレイアウトスペースを確保するようにしてもよい。
さらに、上述の実施形態では、袋状の抗菌剤９０を一つだけ配置する場合について説明したが、複数個配置してもよい。複数個配置する場合は、スライムの発生を均等に抑制する観点から、ドレンポンプ７１の吸込口７１Ａを中心として該吸込口７１Ａの周辺に均等配置することが好ましい。また、この抗菌剤９０の袋内に重りを入れ、この重りで抗菌剤９０の浮き上がりを防止してもよいし、袋自体を重量を有する素材（金属素材等）で形成して抗菌剤９０の浮き上がりを防止するようにしてもよい。
【００２９】
また、上述の実施形態では、敷設部材８０が底面覆い部８１を備える場合について説明したが、上述したようにスライムＳが主に壁部８３を通過するため、図８に一例を示すように、この壁部８３のみを敷設部材８０として構成してもよい。この場合、敷設部材８０を円筒形状或いは多角形形状の簡易な筒部材で形成することが可能である。この場合も、ドレンポンプ７１に向かうスライムＳを細断できると共に、抗菌剤９０のドレンポンプ７１側への移動を規制することができる。また、この構成では、敷設部材８０を小型化できるため、図８に示すように、敷設部材８０のレイアウトスペース（ドレン回収部７Ｈ）が狭い場合でも、敷設部材８０を配置することが可能になる。
また、図８の例では、敷設部材８０の高さｈをドレン水の水位Ｈ２よりも高くすることによって、敷設部材８０の外周側に存在するスライムＳを確実に敷設部材８０で細断可能にしている。
【００３０】
また、上述の実施形態において、図９に示すように、敷設部材８０に、ドレン受け部７Ｃの底面に近接するメッシュ状の近接底部８７を設けてもよい。この構成によれば、近接底部８７によって該底面に張り付いた薄膜スライム（図９中、符号ＳＢを付して示す）の浮き上がりを抑制することができる。図９の例では、壁部８３の下端に対し、壁部８３で囲まれる空間を覆うように近接底部８７を取り付けた場合を示している。この場合、ドレンポンプ７１の吸込口７１Ａ下方に露出する底面が近接底部８７で覆われるため、ドレンポンプ７１の吸込力によって最も浮き上がり易い薄膜スライムＳＢの浮き上がりを集中的に抑えることができる。また、ドレンポンプ７１の吸込力が大きいために、この薄膜スライムが剥がれてしまった場合でも、薄膜スライムを近接底部８７で細断することができる。このように、ドレン受け部７Ｃの底面に張り付いた薄膜スライムの浮き上がりを抑える近接底部８７を配置した場合、ドレンポンプ７１に吸い込まれるスライムの量を低減でき、該ドレンポンプ７１内及び排水ホースをより詰まりにくくすることができる。
しかも、この構成では、ドレンポンプ７１の吸込口７１Ａの周囲がメッシュ状の壁部８３で囲まれると共に、ドレンポンプ７１の吸込口７１Ａ下方がメッシュ状の近接底部８７で覆われるため、吸込口７１がメッシュ部材で完全に囲まれ、このメッシュの開口よりも大きいスライムがドレンポンプ７１に吸い込まれる事態を確実に防止でき、吸込不良をより確実に防止できる。
【００３１】
図１０は、参考実施形態を示すもので、２００は網目部材で、その上部２０１は、ドレンポンプ７１の吸込口２０２の外側に図示しない金具で取り付けられている。即ち、網目部材２００で、ドレンポンプ７１の吸込口２０２が覆われている。
このような構成とすれば、仮にドレンパン７の底面にスライム２０３が広がって生成され、ドレンポンプ７１の運転によって、この広がっているスライム２０３がドレンポンプ７１に吸い込まれる際には、このメッシュ形状の網目部材２００でスライム２０３は図のように細分化されたスライム２０４となると考えられ、細分化されたスライム２０４がド
レンポンプ７１に流れ込む。
【００３２】
従来はこのような網目部材がドレンポンプ７１の吸込口２０２なかったため、ドレンポンプ７１の運転によって、この広がっているスライム２０３がドレンポンプ７１の吸込口２０２にずるずると吸い込まれ、ドレンポンプ７１内がスライムで詰まることが考えられたが、本案は網目部材２００を設けたので、細分化されたスライム２０４がドレンポンプ７１に流れ込むため、スライム２０４でドレンポンプ７１内が詰まるおそれは少なくなる。
【００３３】
特に、メッシュ形状の網目部材２００の網目の大きさL１は、ドレンポンプ７１の吸込口２０２より小さい網目の大きさL２であると、上述したスライム２０３の更なる細分化が進むため、更にスライム２０３によるドレンポンプ７１内の詰まりは更に少なくなると考えられる。尚、図１０以外の図面における部材と同一部材には同一番号を付してその説明は省略した。
【図面の簡単な説明】
【００３４】
【図１】本実施形態に係る空気調和装置を示す図である。
【図２】室内機本体の分解斜視図である。
【図３】は室内機本体を送風機と共に示す分解斜視図である。
【図４】ドレンポンプを周辺構成と共に示す断面図である。
【図５】敷設部材の上面図である。
【図６】敷設部材を周辺構成と共に示す斜視図である。
【図７】敷設部材を周辺構成と共に示す模式図である。
【図８】変形例に係る敷設部材を周辺構成と共に示す模式図である。
【図９】変形例に係る敷設部材を周辺構成と共に示す模式図である。
【図１０】参考実施例を示す模式図である。
【符号の説明】
【００３５】
１  室内機本体
３  送風機
５  熱交換器
７  ドレンパン
７Ｈ  ドレン回収部
７１  ドレンポンプ
７１Ａ  吸込口
７１Ｂ  吐出口
８０  敷設部材
８１  底面覆い部
８２  支持部
８３  壁部
８５  開口部
８７  近接底部
９０  抗菌剤
１００  空気調和装置
Ｓ、ＳＡ  スライム
２００  網目部材
【図１】
0005205082.tif 000002
【図２】
0005205082.tif 000003
【図３】
0005205082.tif 000004
【図４】
0005205082.tif 000005
【図５】
0005205082.tif 000006
【図６】
0005205082.tif 000007
【図７】
0005205082.tif 000008
【図８】
0005205082.tif 000009
【図９】
0005205082.tif 000010
【図１０】
0005205082.tif 000011